(57)【要約】      （修正有）【課題】異なる形状の光ファイバケーブルを把持できる収容ケースを提供する。【解決手段】収容ケースは、光ファイバケーブルを接続した光接続部を収容する収容部と、収容部と外部との間で光ファイバケーブルを把持する把持部２０とを有する。把持部２０は、所定の外形の第１の光ファイバケーブルを把持する第１把持部２１と、第１の光ファイバケーブルとは外形の異なる第２の光ファイバケーブルを把持する第２把持部２２と、収容部から延び出る光ファイバケーブルを第１把持部２１又は第２把持部２２に案内する内側分岐部２３とを有する。【選択図】図８
2014167573.tif 000002
【特許請求の範囲】
【請求項１】
光ファイバケーブルを接続した光接続部を収容する収容部と、
前記収容部と外部との間で前記光ファイバケーブルを把持する把持部と
を有する収容ケースであって、
前記把持部は、
所定の外形の第１の光ファイバケーブルを把持する第１把持部と、
前記第１の光ファイバケーブルとは外形の異なる第２の光ファイバケーブルを把持する第２把持部と、
前記収容部から延び出る前記光ファイバケーブルを前記第１把持部又は第２把持部に案内する分岐部と
を有することを特徴とする収容ケース。
【請求項２】
請求項１に記載の収容ケースであって、
前記把持部は、前記分岐部とは別の分岐部であって、前記収容ケースの端部の導入口から内部に導入される前記光ファイバケーブルを前記第１把持部又は第２把持部に案内する分岐部を更に有する
ことを特徴とする収容ケース。
【請求項３】
請求項１又は２に記載の収容ケースであって、
前記把持部は、
前記光ファイバケーブルの方向と垂直な方向に沿う凸条を有するとともに、
前記光ファイバケーブルを把持させるときに、前記凸条に沿う方向から前記光ファイバケーブルを差し込めるように構成されている
ことを特徴とする収容ケース。
【請求項４】
請求項３に記載の収容ケースであって、
前記把持部は、前記光ファイバケーブルを差し込む側に凹部が形成されていることを特徴とする収容ケース。
【請求項５】
請求項３又は４に記載の収容ケースであって、
前記収容ケースは、開閉可能な第１ケース及び第２ケースを有し、
前記第１ケース及び前記第２ケースの一方に、前記把持部が設けられており、
前記第１ケース及び前記第２ケースの他方に、前記把持部に把持される前記光ファイバケーブルを押さえるケーブル押さえが形成されている
ことを特徴とする収容ケース。
【請求項６】
請求項１〜５のいずれかに記載の収容ケースであって、
前記第１把持部及び前記第２把持部は、前記光ファイバケーブルを湾曲させて把持することを特徴とする収容ケース。
【請求項７】
請求項１〜６のいずれかに記載の収容ケースであって、
前記把持部は、前記第１把持部、前記第２把持部及び前記分岐部の形成された把持体を、前記収容ケースの把持体収容部に収容することによって構成されている
ことを特徴とする収容ケース。
【請求項８】
請求項１〜７のいずれかに記載の収容ケースであって、
前記収容ケースは、
前記収容部及び前記把持部を有する開閉可能なケース本体と、
前記ケース本体にスライド可能に設けられ、支持線固定部とケース固定部とを有する固定具と
を備え、
前記固定具をスライドさせて前記固定具を固定位置にすると、前記支持線固定部によって前記ケース本体が支持線に固定されるとともに、前記ケース固定部によって前記ケース本体が閉じた状態で固定される
ことを特徴とする収容ケース。
【発明の詳細な説明】
【技術分野】
【０００１】
本発明は、収容ケースに関する。
【背景技術】
【０００２】
架空光ファイバケーブルと該光ファイバケーブルから分岐される光ドロップケーブルとの光接続部を収容する収容ケースとして、架空用の光クロージャが知られている（例えば特許文献１〜３参照）。従来の光クロージャは、光ファイバケーブルの光ファイバと光ドロップケーブルの光ファイバとの光接続部を余長とともに収容する構造が一般的である。
【０００３】
また、光クロージャから分岐された光ドロップケーブルと、一端が利用者宅に至る光ドロップケーブルの他端とを接続した光接続部を収容する収容ケースが知られている（例えば特許文献４）。
【先行技術文献】
【特許文献】
【０００４】
【特許文献１】特開２００９−２３７３４０号公報
【特許文献２】特開２０１０−２６２１１５号公報
【特許文献３】特開２０１２−７８４１１号公報
【特許文献４】特開２０１１−５９６０７号公報
【発明の概要】
【発明が解決しようとする課題】
【０００５】
収容ケースから延び出ている光ファイバケーブルに外力が加わると、収容ケースに収容されている光接続部に外力が伝達され、光接続部を損傷させるおそれがある。このため、収容ケースの内部において、光接続部よりも外側で光ファイバケーブルを把持する把持部を設けることが望ましい。
【０００６】
但し、光ファイバケーブルの外形が把持部に合っていないと、把持部が光ファイバケーブルを十分に把持できなかったり、光ファイバケーブルが把持部に入らなかったりすることがある。
【０００７】
本発明は、異なる形状の光ファイバケーブルを把持できる収容ケースを提供することを目的とする。
【課題を解決するための手段】
【０００８】
上記目的を達成するための主たる発明は、光ファイバケーブルを接続した光接続部を収容する収容部と、前記収容部と外部との間で前記光ファイバケーブルを把持する把持部とを有する収容ケースであって、前記把持部は、所定の外形の第１の光ファイバケーブルを把持する第１把持部と、前記第１の光ファイバケーブルとは外形の異なる第２の光ファイバケーブルを把持する第２把持部と、前記収容部から延び出る前記光ファイバケーブルを前記第１把持部又は第２把持部に案内する分岐部とを有することを特徴とする。
【０００９】
本発明の他の特徴については、後述する明細書及び図面の記載により明らかにする。
【発明の効果】
【００１０】
本発明によれば、異なる形状の光ファイバケーブルを把持することができる。
【図面の簡単な説明】
【００１１】
【図１】図１Ａ及び図１Ｂは、第１実施形態の収容ケース５の斜視図である。図１Ａは、収容ケース５を斜め上側から見た図である。図１Ｂは、収容ケース５を斜め下側から見た図である。
【図２】図２Ａは、収容ケース５を開いた状態の斜視図である。図２Ｂは、図２Ａの収容ケース５の分解図である。
【図３】図３Ａ及び図３Ｂは、ケース本体７と固定具５０の説明図である。図３Ａは、固定具５０が固定位置にあるときの説明図である。図３Ｂは、固定具５０が解除位置にあるときの説明図である。
【図４】図４は、固定具５０を外してケース本体７の取付部３２を表した図である。
【図５】図５Ａ〜図５Ｃは、固定具５０の斜視図である。図５Ａは、固定具５０を左上から見た図である。図５Ｂは、固定具５０を右下から見た図である。図５Ｃは、固定具５０を右上から見た図である。
【図６】図６は、支持線固定部５２の見える角度からの固定具５０の斜視図である。
【図７】図７Ａ及び図７Ｂは、取付部３２と固定具５０との関係を説明するための説明図である。図７Ａは、収容ケース５を左側から見た図である。図７Ｂは、収容ケース５を後側から見た図である。
【図８】図８は、ケース本体７の内部構造の説明図である。
【図９】図９Ａは、光ファイバケーブル３を把持する把持部２０を正面から見た図である。図９Ｂは、図９Ａの光ファイバケーブル３を外した説明図である。
【図１０】図１０は、収容ケース５を使用する作業者の処理手順を示すフロー図である。
【図１１】図１１Ａは、作業前の様子の説明図である。図１１Ｂは、作業後の様子の説明図である。
【図１２】図１２Ａ及び図１２Ｂは、収容ケース５の別の使用方法の説明図である。
【図１３】図１３Ａは、第２実施形態の把持部２０を正面から見た図である。図１３Ｂは、図１３Ａの光ファイバケーブル３を外した説明図である。
【図１４】図１４Ａ及び図１４Ｂは、第３実施形態の収容ケース５の斜視図である。図１４Ａは、第３実施形態の固定具１５０が固定位置にあるときの説明図である。図１４Ｂは、第３実施形態の固定具１５０が解除位置にあるときの説明図である。
【図１５】図１５は、第３実施形態の固定具１５０の斜視図である。
【図１６】図１６Ａ及び図１６Ｂは、第３実施形態の収容ケース５の別の使用方法の説明図である。図１６Ａは、第３実施形態の収容ケース５を壁に固定した様子の斜視図である。図１６Ｂは、壁を透過して壁側から見た様子である。
【図１７】図１７は、壁固定用治具６２の設置の様子の斜視図である。
【図１８】図１８は、第４実施形態の収容ケース１０５の斜視図である。
【図１９】図１９は、第４実施形態の収容ケース１０５のカバー１０６を開けた状態の斜視図である。
【図２０】図２０は、第４実施形態の収容ケース１０５のケース本体１０７を開いた状態の斜視図である。
【図２１】図２１Ａ及び図２１Ｂは、フック部１３１の周辺の構造の説明図である。図２１Ａは、支持線２を支持線固定部１５２に入れた様子の説明図である。図２１Ｂは、支持線２を外した様子の説明図である。
【図２２】図２２Ａ及び図２２Ｂは、ケース本体１０７の内部構造の説明図である。
【図２３】図２３Ａ及び図２３Ｂは、把持体１２０Ｂの斜視図である。図２３Ａは、光ファイバケーブルを差し込む側から見た把持体１２０Ｂの斜視図である。図２３Ｂは、図２３Ａの逆側から見た把持体１２０Ｂの斜視図である。
【発明を実施するための形態】
【００１２】
後述する明細書及び図面の記載から、少なくとも以下の事項が明らかとなる。
【００１３】
光ファイバケーブルを接続した光接続部を収容する収容部と、前記収容部と外部との間で前記光ファイバケーブルを把持する把持部とを有する収容ケースであって、前記把持部は、所定の外形の第１の光ファイバケーブルを把持する第１把持部と、前記第１の光ファイバケーブルとは外形の異なる第２の光ファイバケーブルを把持する第２把持部と、前記収容部から延び出る前記光ファイバケーブルを前記第１把持部又は第２把持部に案内する分岐部とを有することを特徴とする収容ケースが明らかとなる。  
このような収容ケースによれば、収容ケースの外部で光ファイバケーブルに外力が加わっても光接続部に外力が伝達されにくい構造になるとともに、異なる形状の光ファイバケーブルを把持部で把持することが可能になる。
【００１４】
前記把持部は、前記分岐部とは別の分岐部であって、前記収容ケースの端部の導入口から内部に導入される前記光ファイバケーブルを前記第１把持部又は第２把持部に案内する分岐部を更に有することが好ましい。これにより、収容ケースの端部の導入口の数を減らすことができ、収容ケースの内部に水が侵入しにくくなる。
【００１５】
前記把持部は、前記光ファイバケーブルの方向と垂直な方向に沿う凸条を有するとともに、前記光ファイバケーブルを把持させるときに、前記凸条に沿う方向から前記光ファイバケーブルを差し込めるように構成されていることが望ましい。これにより、把持される光ファイバケーブルがズレにくくなるにも関わらず、光ファイバケーブルを把持部に把持させる作業は容易になる。
【００１６】
前記把持部は、前記光ファイバケーブルを差し込む側に凹部が形成されていることが望ましい。これにより、光ファイバケーブルを把持部に差し込む作業が容易になる。
【００１７】
前記収容ケースは、開閉可能な第１ケース及び第２ケースを有し、前記第１ケース及び前記第２ケースの一方に、前記把持部が設けられており、前記第１ケース及び前記第２ケースの他方に、前記把持部に把持される前記光ファイバケーブルを押さえるケーブル押さえが形成されていることが望ましい。これにより、光ファイバケーブルが把持部から外れにくくなる。
【００１８】
前記第１把持部及び前記第２把持部は、前記光ファイバケーブルを湾曲させて把持することが好ましい。これにより、把持部から光ファイバケーブルが外れにくくなるとともに、光ファイバケーブルを伝って外部から侵入した水が収容部まで到達しにくくなる。
【００１９】
前記把持部は、前記第１把持部、前記第２把持部及び前記第分岐部の形成された把持体を、前記収容ケースの把持体収容部に収容することによって構成されていることが望ましい。これにより、収容ケースに対して把持体を着脱可能に構成できる。
【００２０】
前記収容ケースは、前記収容部及び前記把持部を有する開閉可能なケース本体と、前記ケース本体にスライド可能に設けられ、支持線固定部とケース固定部とを有する固定具とを備え、前記固定具をスライドさせて前記固定具を固定位置にすると、前記支持線固定部によって前記ケース本体が支持線に固定されるとともに、前記ケース固定部によって前記ケース本体が閉じた状態で固定されることが望ましい。これにより、作業者の作業が容易になる。
【００２１】
＝＝＝第１実施形態＝＝＝
＜全体構成＞
図１Ａ及び図１Ｂは、第１実施形態の収容ケース５の斜視図である。図１Ａは、収容ケース５を斜め上側から見た図である。図１Ｂは、収容ケース５を斜め下側から見た図である。図２Ａは、収容ケース５を開いた状態の斜視図である。図２Ｂは、図２Ａの収容ケース５の分解図である。
【００２２】
図１Ａ及び図１Ｂは収容ケース５を閉じて支持線２に固定した状態を示しており、以下の説明では、この状態のことを「閉状態」又は「固定状態」と呼ぶことがある。また、図２Ａのように収容ケース５を開いた状態のことを「開状態」と呼ぶことがある。
【００２３】
また、以下の説明では、図１Ａ及び図１Ｂに示すように各方向を定義する。すなわち、支持線２又は光ファイバケーブル３に平行な方向を「左右方向」とし、収容ケース５が開く側（留め具４２の側）から見て（作業者の側から見て）右手側を「右」とし、左手側を「左」とする。また、支持線２と光ファイバケーブル３の並ぶ方向を「上下方向」とし、支持線２の側を「上」とし、光ファイバケーブル３の側を「下」とする。また、左右方向及び上下方向に垂直な方向を「前後方向」とし、収容ケース５から見て留め具４２の側を「前」とし、逆側（ヒンジ部４１の側）を「後」とする。なお、後述するように支持線２（又は光ファイバケーブル３）は必ずしも水平には設置されず、図中の上下方向は重力方向と一致するわけではない（図１１Ｂ参照）。
【００２４】
支持線２は、当初は光ドロップケーブル１として光ファイバケーブル３に連結されている。作業者が工具を用いて光ドロップケーブル１の支持線２と光ファイバケーブル３とを分岐させ、分岐させた支持線２に収容ケース５が取り付けられることになる。
【００２５】
収容ケース５の左側から延び出る光ファイバケーブル３は、例えば光クロージャから分岐された光ドロップケーブル１の光ファイバケーブル３である。収容ケース５の右側から延び出る光ファイバケーブル３は、例えば一端が利用者宅に至る光ドロップケーブル１の光ファイバケーブル３である。一方の光ドロップケーブル１の光ファイバケーブル３と、他方の光ドロップケーブル１の光ファイバケーブル３は、光接続部４によって接続されている。なお、光ファイバケーブル３は、単心であっても２心以上であっても良い。
【００２６】
光接続部４は、光接続点及びその近傍の裸光ファイバを露出させずに保護する構造体である。ここでは、光ファイバケーブル３の端部には、現場で組み立てられた外被把持型の光コネクタが取り付けられており、光コネクタを介して光ファイバケーブル３の光ファイバ同士が接続されることによって光接続部４が構成されている。より具体的には、ＦＡＳ（Field Assembly Small）コネクタのプラグ及びソケットが接続されることによって、光接続部４が構成されている。但し、それぞれの光ファイバケーブル３の端部に例えばＳＣコネクタを取り付けて、アダプタを介してＳＣコネクタ同士を接続することによって光接続部を構成しても良い。また、光コネクタを用いる代わりに、メカニカルスプライスを用いて光ファイバ同士を接続することによって光接続部を構成しても良い。
【００２７】
収容ケース５は、光ファイバケーブル３同士を接続した光接続部４を収容し、光接続部４を外部から保護するためのケースである。収容ケース５は、光接続部４を収容する開閉可能なケース本体７と、ケース本体７にスライド可能に設けられた固定具５０とを備えている。
【００２８】
＜ケース本体７と固定具５０＞
ケース本体７は、光接続部４を収容する開閉可能な部材である。ケース本体７は、第１ケース７Ａ及び第２ケース７Ｂから構成されている。ケース本体７の内部には、防水収容部１０と、把持部２０とが形成されている。防水収容部１０や把持部２０などの内部構造については、後述する。
【００２９】
ケース本体７には、ヒンジ部４１と、留め具４２とが形成されている。ヒンジ部４１は、ケース本体７を開閉可能にする部位である。ヒンジ部４１は、第１ケース７Ａの第１ヒンジ部４１Ａと、第２ケース７Ｂの第２ヒンジ部４１Ｂとから構成されている。なお、第１ヒンジ部４１Ａ及び第２ヒンジ部４１Ｂを形成する代わりに、第１ケース７Ａと第２ケース７Ｂを薄肉ヒンジ部を介して一体的に形成することも可能である。留め具４２は、ケース本体７を閉じるための部位である。留め具４２は、第１ケース７Ａの第１留め具４２Ａと、第２ケース７Ｂの第２留め具４２Ｂとから構成されている。留め具４２によって収容ケース５を閉じた状態にすることができる。但し、留め具４２だけでは収容ケース５が開くおそれがあるため、最終的には固定具５０を用いて収容ケース５を閉じた状態に固定することになる。
【００３０】
第１ケース７Ａにはフック部３１が形成されている。言い換えると、ケース本体７の上側にはフック部３１が形成されている。フック部３１は、光ファイバケーブル３の支持線２を引っ掛ける部位である。フック部３１に支持線２を引っ掛けることによって、支持線２に収容ケース５を取り付けることが可能である。後述するように、作業者は、フック部３１に支持線２を引っ掛けた状態で、光接続部４を収容部に収容する作業などを行うことになる。  
フック部３１に支持線２を引っ掛けただけの状態では、収容ケース５は固定されず、この状態では収容ケース５は支持線２に沿って移動可能である。収容ケース５を支持線２に固定するためには、固定具５０によって支持線２を固定する必要がある。
【００３１】
図３Ａ及び図３Ｂは、ケース本体７と固定具５０の説明図である。図３Ａは、固定具５０が固定位置にあるときの説明図である。図３Ｂは、固定具５０が解除位置にあるときの説明図である。
【００３２】
図３Ａ及び図３Ｂに示すように、固定具５０は、ケース本体７に対して前後方向にスライド可能に設けられている。固定具５０を後側にスライドさせて固定具５０を固定位置にすると、フック部３１に引っ掛けられている支持線２にケース本体７が固定されるとともに、ケース本体７が閉状態で固定されることになる（図１Ａも参照）。
【００３３】
図４は、固定具５０を外してケース本体７の取付部３２を表した図である。  
取付部３２は、第１ケース７Ａに固定具５０を取り付けるための部位である。取付部３２は、ケース側ガイド部３３と、規制部３４と、隆起部３５とを有する。ケース側ガイド部３３は、固定具５０を前後方向にスライド可能に案内する部位である。ケース側ガイド部３３は、左右の側面が上側ほど内側に突出するように傾斜しているため（図７Ｂも参照）、固定具５０が上側に抜けることを防止する機能も有する。規制部３４は、固定具５０の前側の移動範囲を規制する部位である。規制部３４は、固定具５０が第１ケース７Ａの前側から抜けることを防止する機能も有する。隆起部３５は、第１ケース７Ａから上側に隆起した部位であり、固定具５０の後側の移動範囲を規制する機能も有する。隆起部３５は、係止部３５Ａと押さえ面３５Ｂとを有する。係止部３５Ａは、固定具５０の係合部５４が引っ掛かり、固定具５０を固定位置で固定する部位である。押さえ面３５Ｂは、隆起部３５の前側の面であり、固定具５０との間で支持線２を挟み、支持線２を固定する面である。
【００３４】
図５Ａ〜図５Ｃは、固定具５０の斜視図である。図５Ａは、固定具５０を左上から見た図である。図５Ｂは、固定具５０を右下から見た図である。図５Ｃは、固定具５０を右上から見た図である。  
固定具５０は、ケース本体７にスライド可能に設けられ、支持線２を固定するとともに、ケース本体７を閉じた状態で固定する部材である。固定具５０は、可動側ガイド部５１と、支持線固定部５２と、ケース固定部５３とを有する。
【００３５】
可動側ガイド部５１は、固定具５０を前後方向にスライド可能に案内する部位である。固定具５０をケース本体７に取り付けたとき、可動側ガイド部５１は、ケース本体７のケース側ガイド部３３に配置され、ケース本体７のケース側ガイド部３３によって前後方向に案内される。可動側ガイド部５１の後側は２つに分かれており、この間にケース本体７の隆起部３５が配置される。言い換えると、左右に並ぶ可動側ガイド部５１の間には、ケース本体７の隆起部３５との干渉を避けるための凹部が形成されている。可動側ガイド部５１の前側の下面には前後方向に沿って溝５１Ａが形成されている。この溝５１Ａにケース本体７の規制部３４が入り込み、溝５１Ａの後縁と規制部３４が接触することによって、固定具５０の前側の移動範囲が規制される。
【００３６】
図６は、支持線固定部５２の見える角度からの固定具５０の斜視図である。  
支持線固定部５２は、支持線２を固定するための部位である。支持線固定部５２は、隆起部３５の押さえ面３５Ｂとの間で支持線２を挟み、支持線２を前後方向に固定する。支持線固定部５２は、後側から支持線２を受け入れられるように後側が開放された凹状の部位である。支持線固定部５２は、上下方向に対向する内面によって支持線２を挟持し、支持線２を上下方向に固定する。
【００３７】
隆起部３５の押さえ面３５Ｂと対向する支持線固定部５２の面（後側を向く面）には、突起５２Ａが形成されている。固定具５０を固定位置にして、支持線固定部５２とケース本体７の押さえ面３５Ｂとの間に支持線２が挟まれると、この突起５２Ａが支持線２に食い込み（突起５２Ａが支持線２に接触し）、支持線２がズレることが抑制される。
【００３８】
支持線固定部５２の上下方向に対向する内面には、支持線用凸条５２Ｂが形成されている。支持線用凸条５２Ｂは、筋状の凸部であり、支持線２が支持線固定部５２からズレることを抑制する部位である。支持線用凸条５２Ｂは前後方向に沿って形成されているため、支持線固定部５２に受け入れられた支持線２が左右方向（支持線用凸条５２Ｂと垂直な方向）にズレにくくなる。一方、支持線用凸条５２Ｂが固定具５０の移動方向（前後方向）に沿って形成されているため、固定具５０が固定位置に向かってスライドするときに固定具５０の後側から支持線２を支持線固定部５２に受け入れることは容易である。なお、支持線２の後側にはケース本体７の隆起部３５（押さえ面３５Ｂ）があるため、支持線固定部５２に受け入れられた支持線２が後側から抜けることはない。
【００３９】
図７Ａ及び図７Ｂは、取付部３２と固定具５０との関係を説明するための説明図である。図７Ａは、収容ケース５を左側から見た図である。図７Ｂは、収容ケース５を後側から見た図である。
【００４０】
図７Ａに示すように、収容ケース５を左側（支持線２と平行な方向）から見ると、フック部３１が支持線２を引っ掛けるスペースよりも、ケース本体７の押さえ面３５Ｂと固定具５０の支持線固定部５２とで囲まれた空間が狭くなるように、構成されている。フック部３１が支持線２を引っ掛けるスペースの方が広いのは、フック部３１だけで支持線２に収容ケース５を取り付けたときに、収容ケース５を支持線２に沿って移動させることを可能にするためである。これに対し、ケース本体７の押さえ面３５Ｂと固定具５０の支持線固定部５２とで囲まれた空間が狭いのは、固定具５０を固定位置にしたときにケース本体７を支持線２に完全に固定するためである。
【００４１】
また、図７Ａに示すように、収容ケース５を左側（支持線２と平行な方向）から見ると、フック部３１が支持線２を引っ掛けるスペースよりも内側に、ケース本体７の押さえ面３５Ｂと固定具５０の支持線固定部５２とで囲まれた空間が位置している。これにより、フック部３１に支持線２を引っ掛けた状態で固定具５０をスライドさせて固定位置にすれば、そのまま押さえ面３５Ｂ及び支持線固定部５２によって支持線２を固定することが可能になる。
【００４２】
図７Ｂに示すように、収容ケース５を後側から見ると、支持線固定部５２の２つの突起５２Ａは、隆起部３５を左右方向から挟むように配置されている（隆起部３５の右側と左側にそれぞれ１つずつ配置されている）。これにより、固定具５０を固定位置にしたときに、押さえ面３５Ｂ及び２つの突起５２Ａによって支持線２が若干湾曲し、収容ケース５に対して支持線２が左右方向にズレにくくなる。
【００４３】
ケース固定部５３は、ケース本体７を閉じた状態で固定するための部位である（図５Ａ、図５Ｂ及び図６参照）。ケース固定部５３は、固定具５０の前側に配置されている。ケース固定部５３には窓部５３Ａ（開口部）が形成されており、固定具５０を固定位置にすると、第２ケース７Ｂの固定用凸部４３が窓部５３Ａの内側に入り込む（図３Ａ参照）。これにより、固定具５０の設けられた第１ケース７Ａに対して第２ケース７Ｂが固定され、ケース本体７の第１留め具４２Ａと第２留め具４２Ｂが外れることが防止され、ケース本体７が開くことが防止される。
【００４４】
固定具５０は、更に係合部５４を有する。係合部５４は、ケース本体７の係止部３５Ａに引っ掛かり、固定具５０を固定位置に固定する部位である。ここでは、係合部５４は、支持線固定部５２の上面に形成された開口（窓部）である。但し、支持線固定部５２に係合部５４を形成するのではなく、係合部５４と支持線固定部５２とを別々に構成することも可能である。係合部５４（及びケース本体７の係止部３５Ａ）によって固定具５０が固定位置に固定されるため、固定具５０による固定状態（支持線２の固定及びケース本体７の閉状態の固定）が維持される。
【００４５】
＜ケース本体７の内部構造＞
図８は、ケース本体７の内部構造の説明図である。  
ケース本体の内部には、防水収容部１０と、把持部２０とが形成されている（図２Ａも参照）。また、ケース本体７には、内部から外部に通じる排水穴４５が形成されている（図１Ａ及び図１Ｂも参照）。
【００４６】
・防水収容部１０
防水収容部１０は、光接続部４を水密に収容する収容部であり、第１ケース７Ａの第１収容部１１と、第２ケース７Ｂの第２収容部１５とから構成される。
【００４７】
第１収容部１１は、第１ケース７Ａに形成され、第２ケース７Ｂの第２収容部１５とともに防水収容部１０を構成する部位である。第１収容部１１は、第１収容壁部１２と支持部１３とを有する。第１収容壁部１２は、光接続部４を収容する収容空間を囲む部位（壁部）である。第１収容壁部１２の左右の壁部には、収容部の内外に光ファイバケーブル３を通すための通路用溝１２Ａが形成されている。支持部１３は、第１収容部１１に収容された光接続部４（ここではプラグやソケット）を支持するための部位であり、第１収容壁部１２から内側に突出した部位（接触部）である。
【００４８】
第２収容部１５は、第２ケース７Ｂに形成され、第１ケース７Ａの第１収容部１１とともに防水収容部１０を構成する部位である。第２収容部１５は、光接続部４を収容する収容空間を囲む第２収容壁部１６によって形成されている。第２収容部１５には第１収容部１１のような支持部１３が無く、第２収容部１５は第１収容部１１よりも浅く形成されている。このため、開いたケース本体７に作業者が光接続部４を設置するときには、第１収容部１１に光接続部４を入れることになる。
【００４９】
防水収容部１０の外周には、光接続部４の収容部（防水収容部１０）を防水するための防水シールが取り付けられている。防水シールは、第１パッキン１７及び第２パッキン１８により構成されている（図２Ａ及び図２Ｂも参照）。第１パッキン１７は、第１収容部１１の外周に取り付けられている。第２パッキン１８は、第２収容部１５の外周に取り付けられている。
【００５０】
第１パッキン１７の左右には、光ファイバケーブル３を通すための溝１９が形成されている（図２Ａ及び図２Ｂも参照）。第２パッキン１８の左右にも、光ファイバケーブル３を通すための溝１９が形成されている。第１パッキン１７の溝１９と第２パッキン１８の溝１９とを合わせると、光ファイバケーブル３（後述する外形の小さい第１光ファイバケーブル）の外形よりも小さい通路が形成される。第１パッキン１７の溝１９と第２パッキン１８の溝１９は、光ファイバケーブル３の外周と水密に接触する。ここでは、第１パッキン１７と第２パッキン１８は同形状であるが、異なる形状にしても良い（例えば第２パッキン１８を第１パッキン１７よりも浅く形成する等）。
【００５１】
・把持部２０
図８には、把持部２０を斜めから見た様子が示されている。図９Ａは、光ファイバケーブル３を把持する把持部２０を正面から見た図である。図９Ｂは、図９Ａの光ファイバケーブル３を外した説明図である。
【００５２】
把持部２０は、防水収容部１０と外部との間で光ファイバケーブル３を把持する部位である。把持部２０は、第１ケース７Ａに形成されており、第１収容部１１の左右に隣接して形成されている。光接続部４よりも外側で把持部２０が光ファイバケーブル３を把持することによって、収容ケース５の外側で光ファイバケーブル３に外力（張力）が加わっても、光接続部４に外力が伝達されることが抑制される。
【００５３】
本実施形態の把持部２０は、第１把持部２１と、第２把持部２２と、内側分岐部２３とを有する。第１把持部２１は、所定の外形（例えば厚さ１．６ｍｍ、幅２．０ｍｍ）の第１光ファイバケーブルを把持する部位（通路）である。第２把持部２２は、第１光ファイバケーブルとは異なる外形（例えば厚さ２．０ｍｍ、幅３．１ｍｍ）の第２光ファイバケーブルを把持する部位（通路）である。内側分岐部２３は、第１収容部１１から延び出る光ファイバケーブル３を第１把持部２１又は第２把持部２２に案内する部位である。
【００５４】
把持部２０は、一対の外壁２５と、この外壁２５の間に配置された隔壁２６とを有している。一方の外壁２５の内面と隔壁２６の一方の外面とが、第１光ファイバケーブルの厚さに相当する間隔（ここでは１．６ｍｍ程度）を空けて対向することによって、第１把持部２１が形成されている。また、他方の外壁２５の内面と隔壁２６の他方の外面とが第２光ファイバケーブルの厚さに相当する間隔（ここでは２．０ｍｍ程度）を空けて対向することによって、第２把持部２２が形成されている。つまり、外壁２５と隔壁２６との間の隙間が光ファイバケーブル３の通路となる。隔壁２６の左右方向の寸法は外壁２５の左右方向の寸法よりも短く、第１収容部１１に近い位置には隔壁２６が形成されておらず、外壁２５同士が光ファイバケーブル３の厚さに相当する間隔を空けて対向することによって、内側分岐部２３が形成されている。
【００５５】
本実施形態では、把持部２０に第１把持部２１及び第２把持部２２が形成されているため、外形の異なる光ファイバケーブル３を固定することが可能である。仮に収容ケース５が、外形の小さい第１光ファイバケーブルを把持するのに適した第１把持部２１しか備えていないとすると、外形の大きい第２光ファイバケーブルを第１把持部２１に差し込む作業が困難となる。その一方、仮に収容ケース５が、外形の大きい第２光ファイバケーブルを把持するのに適した第２把持部２２しか備えていないとすると、外形の小さい第１光ファイバケーブルを第２把持部２２では十分に把持できないため、光接続部４に外力が加わりやすくなり、また、第１光ファイバケーブルと第２把持部２２との隙間が大きいため外部から水が侵入しやすくなる。  
また、本実施形態では、把持部２０に内側分岐部２３が形成されているため、第１収容部１１に収容された光接続部４の光ファイバケーブル３を共通の通路用溝１２Ａを通じて把持部２０の第１把持部２１又は第２把持部２２に導くことができる。このため、光接続部４から延び出る光ファイバケーブル３の外形に関わらず、第１収容部１１に光接続部４を収容することができる。
【００５６】
また、把持部２０は、外側分岐部２４を更に有する。外側分岐部２４は、収容ケース５の左右端の導入口から内部に導入される光ファイバケーブル３を第１把持部２１又は第２把持部２２に案内する部位である。隔壁２６の左右方向の寸法は外壁２５の左右方向の寸法よりも短く、導入口に近い位置には隔壁２６が形成されておらず、外壁２５同士が光ファイバケーブル３の厚さに相当する間隔を空けて対向することによって、外側分岐部２４が形成されている。外側分岐部２４を形成することによって、外部から内部に光ファイバケーブル３を導入する導入口が収容ケース５の左右端のそれぞれに１つになるため、収容ケース５の内部に水が侵入しにくくなる。仮に、外側分岐部２４が形成されずに、第１光ファイバケーブル用の導入口と、第２光ファイバケーブル用の導入口とが別々に形成されてしまうと、光ファイバケーブル３の無い側の導入口から水が侵入しやすくなってしまう。
【００５７】
外壁２５の内面及び隔壁２６の外面には、ケーブル用凸条２７が形成されている。ケーブル用凸条２７は、筋状の凸部であり、把持部２０から光ファイバケーブル３がズレることを抑制する部位である。ケーブル用凸条２７は、上下方向に沿って形成されているため、把持部２０に把持された光ファイバケーブル３が左右方向（ケーブル用凸条２７と垂直な方向）にズレにくくなる。一方、ケーブル用凸条２７が上下方向に沿って形成されているため、把持部２０に光ファイバケーブル３を差し込むこと（外壁２５と隔壁２６との間に光ファイバケーブル３を差し込むこと）は容易である。但し、第２ケース７Ｂを閉じると、第２ケース７Ｂが把持部２０を塞ぐため、把持部２０に把持された光ファイバケーブル３は下側に抜けることはない。
【００５８】
図９Ｂに示すように、第１把持部２１及び第２把持部２２は、隔壁２６側とは反対側に湾曲している。第１把持部２１は後側（図中の下側）に湾曲し、第２把持部２２は前側（図中の上側）に湾曲している。この結果、第１把持部２１又は第２把持部２２は、光ファイバケーブル３を湾曲させて把持する（図９Ａ参照）。これにより、把持部２０から光ファイバケーブル３が外れにくくなるとともに、光ファイバケーブル３を伝って外部から侵入した水が防水収容部１０まで到達しにくくなる。
【００５９】
外壁２５及び隔壁２６には、凹部２８が形成されている。凹部２８は、外壁２５及び隔壁２６の縁（光ファイバケーブル３を差し込む側の縁）に形成された凹状の湾曲面である。把持部２０に凹部２８を形成することによって、作業者が光ファイバケーブル３を把持部２０の奥まで差し込みやすくなる。
【００６０】
第２ケース７Ｂには、前後方向に沿って突出したケーブル押さえ２９Ａが形成されている。ケーブル押さえ２９Ａは、第２ケース７Ｂを閉じたときに第１把持部２１又は第２把持部２２に対向する位置に形成されている。第２ケース７Ｂを閉じると、ケーブル押さえ２９Ａが光ファイバケーブル３を把持部２０に向かって押し付けて、光ファイバケーブル３がケーブル用凸条２７に食い込むように変形する。このため、把持部２０に把持された光ファイバケーブル３が更に抜けにくくなる。
【００６１】
また、第２ケース７Ｂには、第１ケース７Ａの外壁２５に対向するように外壁押さえ２９Ｂが形成されている。外壁押さえ２９Ｂは、外壁２５と接触する傾斜面を有しており、第２ケース７Ｂを閉じると、外壁押さえ２９Ｂの傾斜面から外壁２５が力を受けて、外壁２５が隔壁２６に向かって押される。これにより、外壁２５のケーブル用凸条２７が光ファイバケーブル３に食い込むため、把持部２０に把持された光ファイバケーブル３が更に抜けにくくなる。外壁２５が外側に変形することを外壁押さえ２９Ｂが抑制するため、把持部２０の把持力を維持できる。
【００６２】
・排水穴４５
把持部２０の周囲に形成される空間には、外部に通じる排水穴４５が形成されている（図１Ａ及び図１Ｂ参照）。これにより、収容ケース５内に侵入して第１パッキン１７及び第２パッキン１８によって防水収容部１０へ侵入できなかった水は、内部に溜まらずに、外部へ排水される。また、第１ケース７Ａの左右端部の隅部と、第１パッキン１７近傍の隅部に排水穴４５（第１ケース７Ａの排水穴４５）が形成されるとともに（図１Ａ及び図９Ｂ参照）、第２ケース７Ｂの対向する箇所に排水穴４５（第２ケース７Ｂの排水穴４５）が形成されることによって（図１Ｂ参照）、把持部２０の周囲に形成される空間のいずれの隅部にも排水穴４５が形成されている。これにより、収容ケース５が斜めに取り付けられても、いずれかの排水穴４５から水が排出されるため、収容ケース５の内部には水が溜まらずに済む。
【００６３】
＜収容ケース５の使用方法＞
図１０は、収容ケース５を使用する作業者の処理手順を示すフロー図である。図１１Ａは、作業前の様子の説明図である。図１１Ｂは、作業後の様子の説明図である。
【００６４】
図１１Ａに示すように、利用者宅が電柱の近傍に位置している。利用者宅側の光ドロップケーブル１は、一端が利用者宅側で固定されており、他端が電柱に固定されている。このため、利用者宅側の光ドロップケーブル１は、斜めに設置されている。光クロージャからは別の光ドロップケーブル１が分岐されている。
【００６５】
作業者は、利用者宅側の光ドロップケーブル１の支持線２と光ファイバケーブル３とを分岐させる（Ｓ００１）。
【００６６】
次に、作業者は、利用者宅側の光ドロップケーブル１の支持線２に、収容ケース５のフック部３１を引っ掛けて、支持線２に収容ケース５を取り付ける（Ｓ００２）。この段階では、収容ケース５は支持線２に沿って移動可能なように支持線２に取り付けられる（仮固定）。このため、作業者は、収容ケース５の固定具５０を解除位置にしたまま（図３Ｂ参照）、収容ケース５を支持線２に取り付ける。このとき、収容ケース５は開状態でも閉状態でもどちらでも良い。但し、収容ケース５が開状態で取り付けられていれば、後述するＳ００３で収容ケース５の防水収容部１０の位置を目安にして光ファイバケーブル３に光コネクタを取り付けることができる。
【００６７】
次に、作業者は、光クロージャ側の光ファイバケーブル３と利用者宅側の光ファイバケーブル３とを接続し、光接続部４を構成する（Ｓ００３）。このとき、作業者は、光ファイバケーブル３から光ファイバを口出しし、現場組立型の外被把持型光コネクタを光ファイバケーブル３の端部に取り付けて、光コネクタを介して光ファイバケーブル３同士を接続することによって、光接続部４を構成する。ここでは、作業者は、光クロージャ側の光ファイバケーブル３の端部にＦＡＳコネクタのプラグを取り付け、利用者宅側の光ファイバケーブル３の端部にＦＡＳコネクタのソケットを取り付け、プラグとソケットを結合させて光接続部４を構成する。但し、ＦＡＳコネクタのプラグとソケットの取付位置は逆でも良い。
【００６８】
本実施形態では、作業者が現場で光コネクタを取り付ける際に（Ｓ００３）、既に支持線２に収容ケース５が仮固定されているため（Ｓ００２）、作業者は、収容ケース５の位置を目安にして、光ファイバケーブル３の口出し位置を決定できる。２つの光ファイバケーブル３（光クロージャ側と利用者宅側の光ファイバケーブル３）の光コネクタが、共通の位置（収容ケース５の位置）を目安にして取り付けられるため、光ファイバケーブル３の余長処理を必要とせずに、光接続部４を構成することが可能になる。
【００６９】
なお、支持線２に取り付けられている収容ケース５が開状態であれば、作業者は、収容ケース５の内部の防水収容部１０の位置を確認できるため、光接続部４を収容する防水収容部１０の位置を目安にして、光ファイバケーブル３の口出し位置を決定できる。つまり、仮固定されている収容ケース５が開状態であれば、光ファイバケーブル３の余長処理を必要とせずに光接続部４を構成する作業がより正確になる。
【００７０】
次に、作業者は、光接続部４を収容可能な位置まで、収容ケース５を支持線２に沿って移動させる（Ｓ００４）。収容ケース５の位置を目安にして光接続部４が構成されていても、光接続部４を収容位置に厳密に一致させて構成することは困難であるため（多少の位置誤差は生じる得るため）、作業者は、出来上がった光接続部４の位置に合わせて、収容ケース５を支持線２に沿って移動させる。収容ケース５がフック部３１に引っ掛けられただけの状態であるため（収容ケース５は未だ閉状態ではないため）、仮固定された収容ケース５を支持線２に沿って移動させる作業は容易である。
【００７１】
次に、作業者は、収容ケース５に光接続部４を収容する（Ｓ００５）。この作業では、作業者は、収容ケース５の第１ケース７Ａの第１収容部１１に光接続部４を入れて、第１ケース７Ａの把持部２０に光ファイバケーブル３を把持させてから、第２ケース７Ｂを閉じることになる。第１収容部１１には支持部１３が形成されているため、第１収容部１１に光接続部４を入れてから第２ケース７Ｂを閉じるまでの間で、光接続部４が第１収容部１１から外れにくくなっている。
【００７２】
光接続部４を第１収容部１１に入れるとき、作業者は、光ファイバケーブル３を把持部２０に差し込む。このとき、作業者は、光ファイバケーブル３の形状に応じて、第１把持部２１又は第２把持部２２に光ファイバケーブル３を差し込むことになる。第１ケース７Ａの内側に第１把持部２１及び第２把持部２２の位置に合わせて光ファイバケーブル３の厚さの表記があるため（図９Ｂ参照）、作業者は、この表記を参考にして、第１把持部２１又は第２把持部２２を選択することになる。
【００７３】
作業者は、光ファイバケーブル３を把持部２０に差し込むとき、外壁２５と隔壁２６との間に光ファイバケーブル３を置き、光ファイバケーブル３を把持部２０に向かって指で押し込んで、外壁２５と隔壁２６との間に光ファイバケーブル３を差し込むことになる。把持部２０のケーブル用凸条２７は光ファイバケーブル３を差し込む方向に沿って形成されているため、光ファイバケーブル３を把持部２０に差し込むことは容易である。また、把持部２０に凹部２８が形成されているため、作業者が光ファイバケーブル３を把持部２０の奥まで差し込むことが容易である。
【００７４】
把持部２０に光ファイバケーブル３を差し込むと、把持部２０の内側分岐部２３によって、光ファイバケーブル３が第１収容部１１の通路用溝１２Ａと第１パッキン１７の溝１９に配線されることになる。また、把持部２０に光ファイバケーブル３を差し込むと、把持部２０の外側分岐部２４によって、光ファイバケーブル３が導入口に配線されることになる。
【００７５】
そして、作業者は、収容ケース５の第１ケース７Ａの第１収容部１１に光接続部４を入れて、第１ケース７Ａの把持部２０に光ファイバケーブル３を把持させた後、第２ケース７Ｂを閉じる。第２ケース７Ｂを閉じると、収容ケース５の防水収容部１０に光接続部４が収容されることになる。
【００７６】
第２ケース７Ｂを閉じると、第２ケース７Ｂが把持部２０を塞ぐため、把持部２０に把持された光ファイバケーブル３は下側に抜けることはない。加えて、第２ケース７Ｂにはケーブル押さえ２９Ａが形成されているため、第２ケース７Ｂを閉じると、ケーブル押さえ２９Ａが光ファイバケーブル３を把持部２０に向かって押し付けて、光ファイバケーブル３がケーブル用凸条２７に食い込むように変形し、光ファイバケーブル３が更に抜けにくくなる。また、第２ケース７Ｂには外壁押さえ２９Ｂが形成されているため、第２ケース７Ｂを閉じると、外壁２５が隔壁２６に向かって押され、光ファイバケーブル３が更に抜けにくくなる。
【００７７】
収容ケース５には留め具４２があるため、第２ケース７Ｂを閉じると、留め具４２によって収容ケース５を閉じた状態にすることができる。但し、留め具４２だけでは収容ケース５が開くおそれがあるため、作業者は、次の作業で固定具５０を用いて収容ケース５を閉じた状態に固定することになる。
【００７８】
次に、作業者は、収容ケース５を支持線２に固定する（Ｓ００６）。このとき、作業者は、固定具５０を後側にスライドさせて、固定具５０を固定位置にする。
【００７９】
固定具５０を固定位置にするときに、支持線２が凹状の支持線固定部５２の後側から入り、支持線固定部５２の上下方向に対向する内面に支持線２が挟持される。支持線固定部５２の支持線用凸条５２Ｂは固定具５０の移動方向（前後方向）に沿って形成されているため、支持線２を凹状の支持線固定部５２に受け入れることは容易である。そして、固定具５０を固定位置にすると、支持線固定部５２とケース本体７の押さえ面３５Ｂとの間に支持線２が挟まれて、ケース本体７が支持線２に固定される。このとき、支持線固定部５２の突起５２Ａが支持線２に食い込み、支持線２がズレることが抑制される。
【００８０】
また、固定具５０を固定位置にすると、第２ケース７Ｂの固定用凸部４３が窓部５３Ａの内側に入り込む。これにより、ケース本体７が閉じた状態で固定される。
【００８１】
本実施形態では、固定具５０を後側にスライドさせて固定具５０を固定位置にすると、支持線固定部５２によってケース本体７が支持線２に固定されるとともに、ケース固定部５３によってケース本体７が閉状態で固定される。このため、支持線２にケース本体７を固定する作業と、ケース本体７を閉状態で固定する作業とを一緒に行うことができ、作業者の作業が容易になる。
【００８２】
また、本実施形態では、フック部３１に支持線２を引っ掛けた状態で固定具５０をスライドさせて固定具５０を固定位置にすれば、支持線固定部５２によってケース本体７が支持線２に固定される。このため、支持線２にケース本体７を固定する作業が容易である。
【００８３】
また、本実施形態では、固定具５０を固定位置にすると、ケース本体７の係止部３５Ａに固定具５０の係合部５４が引っ掛かり、固定具５０が固定位置に固定され、固定具５０による固定状態（支持線２の固定及びケース本体７の閉状態の固定）が維持される。このように、固定具５０を固定位置に固定する作業も、支持線２にケース本体７を固定する作業及びケース本体７を閉状態で固定する作業と一緒に行うことができるので、作業者の作業が容易になる。
【００８４】
図１１Ｂに示すように、利用者宅が電柱や光クロージャから近い場合、利用者宅側の光ドロップケーブル１の支持線２が斜めになり、支持線２に固定される収容ケース５も斜めになる。本実施形態では、支持線２が斜めの状態であっても、固定具５０を用いて収容ケース５を支持線２に固定することが可能である。把持部２０の周囲に形成される空間のいずれの隅部にも排水穴４５が形成されているため、収容ケース５が斜めに取り付けられても、いずれかの排水穴４５から水が排出される。
【００８５】
なお、回線設備を持たない第２種通信事業者が、回線設備を持つ第１種通信事業者から光通信回線を借りてアクセス系を構築する場合には、引き落とし側の作業者である第２種通信事業者は、事前工事で設置された光クロージャから光ドロップケーブル１等により利用者宅に光回線を引き落とすことになる。本実施形態によれば、光クロージャからの光ドロップケーブル１と、利用者宅側の光ドロップケーブル１とを接続して光接続部４を構成し、その光接続部４を収容ケース５に収容するため、その後に第２種通信事業者が光接続部４にアクセスすることが容易であり、第２種通信事業者による検査作業が容易になる。
【００８６】
＜別の使用方法＞
図１２Ａ及び図１２Ｂは、収容ケース５の別の使用方法の説明図である。図１２Ａは、収容ケース５に壁固定用治具６１を取り付けた様子の斜視図である。図１２Ｂは、壁固定用治具６１を収容ケース５から外した様子の斜視図である。収容ケース５の構造は、既に説明した通りである。
【００８７】
壁固定用治具６１は、収容ケース５を壁に固定するための治具である。壁固定用治具６１は、第１ケース７Ａに着脱可能である。壁固定用治具６１には引掛部６１Ａが形成されており、壁の釘などに壁固定用治具６１を引っ掛けて、収容ケース５を壁に固定することができる。なお、図中の上側が壁面に取り付けられることになる。
【００８８】
本実施形態の収容ケース５は、このような壁固定用治具６１を用いれば、支持線２だけでなく壁にも固定することができる。
【００８９】
なお、本実施形態の収容ケース５では、壁固定用治具６１を用いて収容ケース５を壁に固定することがあるために、壁固定用治具６１の取り付けられる第１ケース７Ａの側に、光接続部４を支持する支持部１３の設けられた第１収容部１１や、把持部２０を設けている。これにより、作業者は、壁に固定された第１ケース７Ａに光接続部４を入れるため、作業が容易になる。仮に、支持部１３の設けられた第１収容部１１や把持部２０が第２ケース７Ｂの側に設けられていると、固定されていない第２ケース７Ｂに光接続部４を入れることになるため、作業が不便である。
【００９０】
＝＝＝第２実施形態＝＝＝
図１３Ａは、第２実施形態の把持部２０を正面から見た図である。図１３Ｂは、図１３Ａの光ファイバケーブル３を外した説明図である。
【００９１】
前述の第１実施形態では、把持部２０が外側分岐部２４を有していた。これに対し、第２実施形態の把持部２０は、外側分岐部２４を有していない。このような収容ケースであっても、異なる形状の光ファイバケーブル（第１光ファイバケーブル又は第２光ファイバケーブル）を把持することができる。
【００９２】
但し、外側分岐部２４が無いため、外部から内部に光ファイバケーブル３を導入する導入口が収容ケース５の左右端のそれぞれに２つ（第１実施形態では１つ）になる。この結果、第１実施形態と比べて、第２実施形態の収容ケースは、光ファイバケーブルの無い側の導入口から内部に水が侵入しやすくなる。
【００９３】
＝＝＝第３実施形態＝＝＝
＜基本的な構成と使用方法＞
図１４Ａ及び図１４Ｂは、第３実施形態の収容ケース５の斜視図である。図１４Ａは、第３実施形態の固定具１５０が固定位置にあるときの説明図である。図１４Ｂは、第３実施形態の固定具１５０が解除位置にあるときの説明図である。
【００９４】
第３実施形態の収容ケース５の基本的な構成は、第１実施形態の収容ケース５とほぼ同様である。
【００９５】
第３実施形態の収容ケース５の内部構造は、図８に示す内部構造と同様である。把持部２０に第１把持部２１及び第２把持部２２が形成されているため、外形の異なる光ファイバケーブル３を固定することが可能である。また、分岐部２３が形成されているため、収容部に収容された光接続部４の光ファイバケーブル３を共通の通路用溝１２Ａを通じて把持部２０の第１把持部２１又は第２把持部２２に導くことができる。このため、光接続部４から延び出る光ファイバケーブル３の外形に関わらず、光接続部４を収容することができる。
【００９６】
＜改良した部位と別の使用方法＞
第３実施形態の収容ケース５は、第１実施形態の収容ケース５と比べると、固定具１５０に支持線把持部５６が設けられている点、第１ケース７Ａに支持線押さえ３６と載置部３８が設けられている点が異なっている。但し、固定具１５０に支持線把持部５６や、第１ケース７Ａの支持線押さえ３６及び載置部３８は、図１４Ａ及び図１４Ｂに示す使用方法では用いられておらず、これらの部位は別の使用方法で用いられることになる。以下、これらの部位及び使用方法について説明する。
【００９７】
・固定具１５０
図１５は、第３実施形態の固定具１５０の斜視図である。固定具１５０は、第１実施形態の固定具５０と同様に、可動側ガイド部５１と、支持線固定部５２と、ケース固定部５３とを有する。これらの部位については、説明を省略する。
【００９８】
第３実施形態の固定具１５０は、更に支持線把持部５６を有する。支持線把持部５６は、収容ケース５を後述する使用方法で使用するときに支持線２を把持する部位である。支持線把持部５６は、前側から支持線２を受け入れられるように前側が開放された凹状の部位である。支持線把持部５６は、上下方向に対向する内面によって支持線２を挟持し、支持線２を上下方向に固定する。
【００９９】
支持線把持部５６の上下方向に対向する内面には、支持線用凸条５６Ｂが形成されている。支持線用凸条５６Ｂは、筋状の凸部であり、支持線２が支持線把持部５６からズレることを抑制する部位である。支持線用凸条５６Ｂは前後方向に沿って形成されているため、支持線把持部５６に受け入れられた支持線２が左右方向（支持線用凸条５６Ｂと垂直な方向）にズレにくくなる。一方、支持線用凸条５６Ｂが前後方向に沿って形成されているため、前側から支持線２を支持線把持部５６に受け入れることは容易である。
【０１００】
・第１ケース７Ａ
第３実施形態の第１ケース７Ａの上面には、支持線押さえ３６が形成されている（図１４Ａ及び図１４Ｂ参照）。支持線押さえ３６は、第１ケース７Ａの上面から上方に突出した部位である。支持線押さえ３６は、固定具１５０の支持線把持部５６に支持線２を把持させたときに、支持線把持部５６から支持線２が外れることを抑制する機能を有する。
【０１０１】
第１ケース７Ａの左右端部の上面には、載置部３８が形成されている。載置部３８は、平らな載置面（後述するクリート６３の載置面）に収容ケース５を載置するときに、その載置面と接触する部位である。載置部３８の上面（接触面）は、前後方向及び左右方向に平行な面（上下方向に垂直な面）を有する。前述の第１実施形態の第１ケース７Ａの左右端部の上面は傾斜しており、平らな載置面に収容ケース５を載置するのには不向きであったが、第３実施形態では載置部３８が形成されているため、平らな載置面に収容ケース５を載置し易い構造になっている。
【０１０２】
・別の使用方法
図１６Ａ及び図１６Ｂは、第３実施形態の収容ケース５の別の使用方法の説明図である。図１６Ａは、第３実施形態の収容ケース５を壁に固定した様子の斜視図である。図１６Ｂは、壁を透過して壁側から見た様子である。
【０１０３】
第３実施形態の壁固定用治具６２は、クリート６３と、貼付固定用治具６４とを有する。  
クリート６３は、支持線２を通す穴を有し、支持線２を壁に固定する治具である。クリート６３はネジで直接的に壁に固定可能であるが、壁にネジ固定できないような場合には、図示するように貼付固定用治具６４を用いてクリート６３を壁に取り付ける。貼付固定用治具６４は、壁に貼り付けて固定する治具である。貼付固定用治具６４は、クリート収容部を有し、支持線２と平行な方向からクリート６３を挿入して収容可能である。
【０１０４】
図１７は、壁固定用治具６２の設置の様子の斜視図である。  
作業者は、収容ケース５の左右方向の長さに合わせて２つの貼付固定用治具６４を壁に貼り付ける。このとき、２つの貼付固定用治具６４は、クリート６３を挿入する側が内側になるように、壁に取り付けられる。このような向きに貼付固定用治具６４を取り付ける理由は、収容ケース５の載置後（図１６Ａ参照）に貼付固定用治具６４からクリート６３が外れないようにするためである。  
次に、作業者は、クリート６３の上部６３Ａ及び下部６３Ｂを開いて支持線２を内部に取り込み、クリート６３の穴に支持線２を通した状態で、クリート６３を支持線２に沿って移動させて、貼付固定用治具６４のクリート収容部にクリート６３を収容する。これにより、クリート６３が壁に対して固定されるとともに、２つのクリート６３の間で支持線２が壁に対して固定される。
【０１０５】
壁固定用治具６２を壁に設置した後、作業者は、光接続部４を構成し、収容ケース５に光接続部４を収容する。その後、作業者は、２つのクリート６３の間で固定された支持線２を、収容ケース５の固定具１５０の支持線把持部５６に入れるようにして、支持線２に対して収容ケース５をスライドさせて取り付ける。作業者は、支持線把持部５６に支持線２を把持させるとき、支持線押さえ３６を乗り越えて支持線２を支持線把持部５６に入れる。これにより、支持線把持部５６から支持線２が外れにくくなる。
【０１０６】
また、作業者は、支持線２に対して収容ケース５をスライドさせて取り付けるとき、収容ケース５の載置部３８をクリート６３の載置面に載置する。載置部３８は前後方向及び左右方向に平行な面（上下方向に垂直な面）を有するので、収容ケース５がクリート６３に安定して載置される。なお、収容ケース５はクリート６３の載置面に載置されているだけであるが、支持線把持部５６が上下方向から支持線２を把持しているため、また、支持線押さえ３６が支持線把持部５６から支持線が外れることを防止するため、収容ケース５は壁固定用治具６２に安定して固定される。なお、強風やいたずら等によって収容ケース５が支持線２から脱落するのを更に防止するため、必要に応じて、固定具１５０の穴（開口）を利用して固定具１５０と支持線２とをナイロンバンドで固定しても良い。
【０１０７】
＝＝＝第４実施形態＝＝＝
＜全体構成＞
図１８は、第４実施形態の収容ケース１０５の斜視図である。図１９は、第４実施形態の収容ケース１０５のカバー１０６を開けた状態の斜視図である。図２０は、第４実施形態の収容ケース１０５のケース本体１０７を開いた状態の斜視図である。以下の説明では、第１実施形態と同等の機能を果たす部位については、第１実施形態の対応する部位の符号に１００を加算した符号を付して、説明を省略することがある。
【０１０８】
図１８は収容ケース１０５を閉じて支持線２に固定した状態を示しており、以下の説明では、この状態のことを「閉状態」又は「固定状態」と呼ぶことがある。また、図１９のようにカバー１０６だけを開けた状態のことを「カバー開状態」と呼ぶことがある。また、図２０に示すようにケース本体１０７を開いた状態を単に「開状態」と呼ぶことがある。
【０１０９】
また、以下の説明では、図１８に示すように各方向を定義する。すなわち、支持線２又は光ファイバケーブル３に平行な方向を「左右方向」とし、ケース本体１０７が開く側（留め具１４２の側）から見て（作業者の側から見て）右手側を「右」とし、左手側を「左」とする。また、閉状態における支持線２と光ファイバケーブル３の並ぶ方向を「上下方向」とし、支持線２の側を「上」とし、光ファイバケーブル３の側を「下」とする。また、左右方向及び上下方向に垂直な方向を「前後方向」とし、ケース本体１０７から見て留め具１４２の側を「前」とし、逆側を「後」とする。
【０１１０】
第４実施形態の収容ケース１０５は、ケース本体１０７と、ケース本体１０７を覆うカバー１０６とを備えている。カバー１０６は、ケース本体１０７に設けられた回転軸１０７Ｃによって回転可能な状態でケース本体１０７に取り付けられている。
【０１１１】
＜ケース本体１０７とカバー１０６＞
ケース本体１０７は、光接続部４を収容する開閉可能な部材である。薄肉ヒンジ部を介して一体的に形成された第１ケース１０７Ａと第２ケース１０７Ｂとから構成されている。留め具１４２は、ケース本体１０７を閉じるための部位である。第４実施形態では、留め具１４２だけでケース本体１０７を閉じた状態に固定することができる。
【０１１２】
カバー１０６の内側にはフック部１３１が形成されている。フック部１３１は、支持線２を引っ掛ける部位である。フック部１３１に支持線２を引っ掛けることによって、支持線２に収容ケース１０５を取り付けることが可能である。
【０１１３】
図２１Ａ及び図２１Ｂは、フック部１３１の周辺の構造の説明図である。図２１Ａは、支持線２を支持線固定部１５２に入れた様子の説明図である。図２１Ｂは、支持線２を外した様子の説明図である。ここでは、カバー１０６の構造を説明するため、ケース本体１０７は不図示としている。
【０１１４】
カバー１０６の内側には、支持線固定部１５２が形成されている。支持線固定部１５２は、支持線２を固定するための部位である。第４実施形態では、支持線固定部１５２がカバー１０６の内側に形成されるため、第１実施形態の支持線固定部５２と比べると、支持線２を固定する部分が劣化しにくいという利点がある。
【０１１５】
支持線固定部１５２は、ケース本体１０７の突起状の支持線押さえ１３５（図１９参照）との間で支持線２を挟み、支持線２を固定する。支持線固定部１５２は、支持線２を受け入れられるように一方側が開放された凹状の部位である。支持線固定部１５２は、対向する内面によって支持線２を挟持し、支持線２を固定する。但し、支持線押さえ１３５との間で支持線２を挟まず、支持線固定部１５２の対向する内面だけで支持線２を挟持している状態であれば、収容ケース１０５は、支持線２に沿って移動可能に取り付けられた状態（仮固定）である。
【０１１６】
支持線固定部１５２の対向する内面には、支持線用凸条１５２Ｂが形成されている。支持線用凸条１５２Ｂは左右方向と垂直な方向に沿って形成されているため、支持線固定部１５２に受け入れられた支持線２が左右方向（支持線用凸条１５２Ｂと垂直な方向）にズレにくくなる。一方、支持線２を受け入れる方向に沿って支持線用凸条１５２Ｂが形成されているため、支持線２を支持線固定部１５２に入れることは容易である。なお、カバー１０６を閉じるとケース本体１０７の支持線押さえ１３５が支持線２を押さえるため、支持線固定部１５２の支持線２が抜けることはない。
【０１１７】
支持線押さえ１３５と対向する支持線固定部１５２の面には、突起１５２Ａが形成されている。閉状態にして、支持線固定部１５２と支持線押さえ１３５との間に支持線２が挟まれると、この突起１５２Ａが支持線２に食い込み、支持線２がズレることが抑制される。
【０１１８】
第４実施形態では、収容ケース１０５を支持線２に仮固定するとき、フック部１３１に支持線２を引っ掛けても良いし、開状態若しくはカバー開状態で支持線固定部１５２に支持線を差し込んでも良い。
【０１１９】
＜ケース本体の内部構造＞
図２２Ａ及び図２２Ｂは、ケース本体１０７の内部構造の説明図である。
【０１２０】
ケース本体１０７は、第１実施形態と同様に、光ファイバケーブル３を接続した光接続部４を収容する防水収容部１１０と、防水収容部１１０よりも外側で光ファイバケーブル３を把持する把持部１２０とを有する。第４実施形態では、把持部１２０は、収容ケース１０５に設けられた把持体収容部１２０Ａに把持体１２０Ｂが収容されることによって構成されている。
【０１２１】
・防水収容部１１０
防水収容部１１０は、光接続部４を水密に収容する収容部であり、第１ケース１０７Ａの第１収容部１１１と、第２ケース１０７Ｂの第２収容部１１５とから構成される。第４実施形態では、開状態のケース本体１０７に作業者が光接続部４を設置するときには、第２ケース１０７の第２収容部１１５に光接続部４を入れることが可能である。
【０１２２】
防水収容部１１０の外周には、光接続部４の収容部（防水収容部１１０）を防水するための防水シールが取り付けられている。防水シールは、第１パッキン１１７及び第２パッキン１１８により構成されている。第１パッキン１１７は、第１収容部１１１の外周に取り付けられている。第２パッキン１１８は、第２収容部１１５の外周に取り付けられている。
【０１２３】
・把持体収容部１２０Ａと把持体１２０Ｂ
把持体収容部１２０Ａは、把持体１２０Ｂを収容する収容部であり、第２ケース１０７Ｂに形成されている。第４実施形態では、ケース本体１０７と把持体１２０Ｂとが別体になっている。これにより、特殊な形状の光ファイバケーブル３を接続した光接続部４を収容ケース１０５に収容するときには、把持体１２０Ｂだけを交換すればよい。
【０１２４】
把持体収容部１２０Ａは、第２収容部１１５の左右に隣接して形成されている。この位置に収容された把持体１２０Ｂが光ファイバケーブル３を把持することによって、収容ケース１０５の外側で光ファイバケーブル３に外力（張力）が加わっても、光接続部４に外力が伝達されることが抑制される。
【０１２５】
図２３Ａ及び図２３Ｂは、把持体１２０Ｂの斜視図である。図２３Ａは、光ファイバケーブルを差し込む側から見た把持体１２０Ｂの斜視図である。図２３Ｂは、図２３Ａの逆側から見た把持体１２０Ｂの斜視図である。
【０１２６】
把持体１２０Ｂは、防水収容部１１０と外部との間で光ファイバケーブル３を把持する部材である。把持体１２０Ｂは、は、第１把持部１２１と、第２把持部１２２と、右側分岐部１２３と、左側分岐部１２４とを有する。
【０１２７】
第１把持部１２１は、所定の外形（例えば厚さ１．６ｍｍ、幅２．０ｍｍ）の第１光ファイバケーブルを把持する部位（通路）である。第２把持部１２２は、第１光ファイバケーブルとは異なる外形（例えば厚さ２．０ｍｍ、幅３．１ｍｍ）の第２光ファイバケーブルを把持する部位（通路）である。
【０１２８】
右側分岐部１２３は、右側から導入される光ファイバケーブル３を第１把持部１２１又は第２把持部１２２に案内する部位である。把持体１２０Ｂがケース本体１０７の左側の把持体収容部１２０Ａに収容されれば、右側分岐部１２３は、第２収容部１１５から延び出る光ファイバケーブル３を第１把持部１２１又は第２把持部１２２に案内するため、第１実施形態の内側分岐部２３とほぼ同等の機能を果たすことになる。把持体１２０Ｂがケース本体１０７の右側の把持体収容部１２０Ａに収容されれば、右側分岐部１２３は、収容ケース１０５の右端の導入口から内部に導入される光ファイバケーブル３を第１把持部１２１又は第２把持部１２２に案内するため、第１実施形態の外側分岐部２４とほぼ同等の機能を果たすことになる。
【０１２９】
左側分岐部１２４は、左側から導入される光ファイバ３を第１把持部１２１又は第２把持部１２２に案内する部位である。左側分岐部１２４も、ケース本体１０７の右側又は左側の把持体収容部１２０Ａに収容されることによって、第１実施形態の内側分岐部２３又は外側分岐部２４とほぼ同等の機能を果たすことになる。
【０１３０】
把持体１２０Ｂは、一対の外壁１２５と、この外壁１２５の間に配置された隔壁１２６とを有している。一方の外壁１２５の内面と隔壁１２６の一方の外面とが、第１光ファイバケーブルの厚さに相当する間隔（ここでは１．６ｍｍ程度）を空けて対向することによって、第１把持部１２１が形成されている。また、他方の外壁１２５の内面と隔壁１２６の他方の外面とが第２光ファイバケーブルの厚さに相当する間隔（ここでは２．０ｍｍ程度）を空けて対向することによって、第２把持部１２２が形成されている。つまり、外壁１２５と隔壁１２６との間の隙間が光ファイバケーブル３の通路となる。隔壁１２６の左右方向の寸法は外壁１２５の左右方向の寸法よりも短く、把持体１２０Ｂの左右両端までは隔壁１２６が形成されておらず、外壁１２５同士が光ファイバケーブル３の厚さに相当する間隔を空けて対向することによって、右側分岐部１２３及び左側分岐部１２４が形成されている。
【０１３１】
第４実施形態においても、把持体１２０Ｂに第１把持部１２１及び第２把持部１２２が形成されているため、外形の異なる光ファイバケーブル３を固定することが可能である。また、第４実施形態においても、分岐部（右側分岐部１２３及び左側分岐部１２４）が形成されているため、収容部に収容された光接続部４の光ファイバケーブル３を共通の通路用溝１１２Ａを通じて把持体１２０Ｂの第１把持部１２１又は第２把持部１２２に導くことができる。このため、光接続部４から延び出る光ファイバケーブル３の外形に関わらず、第２収容部１１５に光接続部４を収容することができる。
【０１３２】
外壁１２５の内面及び隔壁１２６の外面には、ケーブル用凸条１２７が形成されている。ケーブル用凸条１２７は、筋状の凸部であり、把持体１２０Ｂから光ファイバケーブル３がズレることを抑制する部位である。また、第１把持部１２１及び第２把持部１２２は、隔壁１２６側とは反対側に湾曲している。この結果、第１把持部１２１又は第２把持部１２２は、光ファイバケーブル３を湾曲させて把持するため、把持体１２０Ｂから光ファイバケーブル３が外れにくくなるとともに、光ファイバケーブル３を伝って外部から侵入した水が防水収容部１１０まで到達しにくくなる。
【０１３３】
外壁１２５及び隔壁１２６には、凹部１２８が形成されている。凹部１２８は、外壁１２５及び隔壁１２６の表面（光ファイバケーブル３を差し込む側の面）に形成された凹状の湾曲面である。把持体１２０Ｂに凹部１２８を形成することによって、作業者が光ファイバケーブル３を把持体１２０Ｂの奥まで差し込みやすくなる。
【０１３４】
第１把持部１２１及び第２把持部１２２には、排水溝１４５Ａが形成されている。言い換えると、第１把持部１２１及び第２把持部１２２を構成する外壁１２５の内面及び隔壁１２６の外面には、排水溝１４５Ａが形成されている。排水溝１４５Ａは、光ファイバケーブル３を差し込む方向（光ファイバケーブル３と垂直な方向）に沿って形成された溝である。光ファイバケーブル３を伝って外部から侵入した水は、排水溝１４５Ａから把持体１２０Ｂの背面の穴１４５Ｂから排出される。特に、排水溝１４５Ａは、第１把持部１２１及び第２把持部１２２が光ファイバケーブルを湾曲させて把持する位置に形成されているため、光ファイバケーブル３を伝って外部から侵入した水を排水溝１４５Ａに誘導しやすい構造になっている。なお、右側分岐部１２３及び左側分岐部１２４にも穴１４５Ｃが形成されている。この穴１４５Ｃも、穴１４５Ｂと同様に、光ファイバケーブル３を伝って外部から侵入した水を背面に排出するための穴である。穴１４５Ｂ及び穴１４５Ｃから排出された水は、把持体収容部１２０Ａに形成された排水穴１４５（図２２Ｂ参照）から外部に排出されることになる。
【０１３５】
把持体１２０Ｂの表面（光ファイバケーブル３を差し込む側の面）には、第１把持部１２１及び第２把持部１２２の位置に合わせて光ファイバケーブル３の厚さの表記がある。第１実施形態では第１ケース７Ａの内側にこの表記があったが、第４実施形態では、ケース本体１０７に対して把持体１２０Ｂが着脱可能であるため、把持体１２０Ｂの側に表記している。
【０１３６】
第１ケース１０７Ａには、内側に突出したケーブル押さえ１２９Ａが形成されている（図２０参照）。ケーブル押さえ１２９Ａは、第２ケース１０７Ｂを閉じたときに第１把持部１２１又は第２把持部１２２に対向する位置に形成されている。第２ケース１０７Ｂを閉じると、ケーブル押さえ１２９Ａが光ファイバケーブル３を把持体１２０Ｂに向かって押し付けて、光ファイバケーブル３がケーブル用凸条１２７に食い込むように変形する。このため、把持体１２０Ｂに把持された光ファイバケーブル３が更に抜けにくくなる。
【０１３７】
なお、ケーブル押さえ１２９Ａの裏側には、フック収容部１０７Ｄが形成されている（図１９参照）。フック収容部１０７Ｄは、カバー１０６の内側に形成されたフック部１３１を閉状態のときに収容する部位であり、第１ケース１０７Ａの外面に凹形状に形成された部位である。ケーブル押さえ１２９Ａの裏側にフック収容部１０７Ｄを形成することによって、第１ケース１０７Ａの内側に突出するケーブル押さえ１２９Ａと、第１ケース１０７の外面に凹形状に形成されるフック収容部１０７Ｄとを効率よく構成することができる。
【０１３８】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１３９】
＜収容部について＞
前述の実施形態では、光接続部４を収容する収容部は、パッキンによって防水された防水収容部であった。このように、光接続部４を収容する収容部は防水されていることが好ましいが、防水性の無い収容部に光接続部４を収容しても良い。
【０１４０】
＜把持部について＞
前述の実施形態では、把持部にケーブル用凸条が形成されていた。このように、把持部がケーブル用凸条を有することが好ましいが、このような凸条が無くても良い。
【０１４１】
また、前述の実施形態では、把持部に凹部が形成されていた。このように、把持部が凹部を有することが好ましいが、このような凹部が無くても良い。
【０１４２】
また、前述の実施形態では、把持部に対向する位置にケーブル押さえが形成されていた。但し、ケーブル押さえが無くても良い。
【符号の説明】
【０１４３】
１  光ドロップケーブル、２  支持線、３  光ファイバケーブル、
４  光接続部、５  収容ケース、
７  ケース本体、７Ａ  第１ケース、７Ｂ  第２ケース、
１０  防水収容部、１１  第１収容部、１２  第１収容壁部、
１２Ａ  通路用溝、１３  支持部、
１５  第２収容部、１６  第２収容壁部、
１７  第１パッキン、１８  第２パッキン、１９  溝、
２０  把持部、２１  第１把持部、２２  第２把持部、
２３  内側分岐部、２４  外側分岐部、
２５  外壁、２６  隔壁、２７  ケーブル用凸条、２８  凹部、
２９Ａ  ケーブル押さえ、２９Ｂ  外壁押さえ、
３１  フック部、３２  取付部、
３３  ケース側ガイド部、３４  規制部、
３５  隆起部、３５Ａ  係止部、３５Ｂ  押さえ面、
３６  支持線押さえ、３８  載置部、
４１  ヒンジ、４１Ａ  第１ヒンジ、４１Ｂ  第２ヒンジ、
４２  留め具、４２Ａ  第１留め具、４２Ｂ  第２留め具、
４３  固定用凸部、４５  排水穴、
５０，５０’  固定具、
５１  可動側ガイド部、５１Ａ  溝、
５２  支持線固定部、５２Ａ  突起、５２Ｂ  支持線用凸条、
５３  ケース固定部、５３Ａ  窓部、
５４  係合部、５５  引掛部、
６１  壁固定用治具、６１Ａ  引掛部、
６２  壁固定用治具、６３  クリート、６４  貼付固定用治具、
１０６  カバー、１０７Ｃ  回転軸、１０７Ｄフック収容部、
１２０Ａ  把持体収容部、１２０Ｂ  把持体、
１２３  右側分岐部、１２４  左側分岐部、
１３５  支持線押さえ、１４５Ａ  排水溝、１４５Ｂ，１４５Ｃ  穴、
１５０  固定具、１５６  支持線把持部、１５６Ｂ  支持線用凸条
【図１】
2014167573.tif 000003
【図２】
2014167573.tif 000004
【図３】
2014167573.tif 000005
【図４】
2014167573.tif 000006
【図５】
2014167573.tif 000007
【図６】
2014167573.tif 000008
【図７】
2014167573.tif 000009
【図８】
2014167573.tif 000010
【図９】
2014167573.tif 000011
【図１０】
2014167573.tif 000012
【図１１】
2014167573.tif 000013
【図１２】
2014167573.tif 000014
【図１３】
2014167573.tif 000015
【図１４】
2014167573.tif 000016
【図１５】
2014167573.tif 000017
【図１６】
2014167573.tif 000018
【図１７】
2014167573.tif 000019
【図１８】
2014167573.tif 000020
【図１９】
2014167573.tif 000021
【図２０】
2014167573.tif 000022
【図２１】
2014167573.tif 000023
【図２２】
2014167573.tif 000024
【図２３】
2014167573.tif 000025